(57)【要約】【課題】独自の画像を容易に表示することが可能な充電装置を提供する。【解決手段】充電装置４０は、バッテリ６１を充電する電力変換器４４と、画像を表示するタッチパネル５１と、電力変換器４４とタッチパネル５１を制御するコントローラ４５，５２と、コントローラ４５，５２と課金サーバ２０との間に介在する通信インタフェース５２１と、を備えており、コントローラ４５，５２は、通信インタフェース５２１を介した課金サーバ２０との通信が開始されてから、所定のタイミングで課金サーバ２０に対して要求信号を出力し、この要求信号は、タッチパネル５１に表示する画像に関する情報の送信を課金サーバ２０に対して要求する信号である。【選択図】図４
2015023618.tif 000002
【特許請求の範囲】
【請求項１】
バッテリを充電する充電手段と、
画像を表示する表示手段と、
前記充電手段と前記表示手段を制御する制御手段と、
前記制御手段と外部装置との間に介在するインタフェース手段と、を備えた充電装置であって、
前記制御手段は、前記インタフェース手段を介した前記外部装置との通信が開始されてから、所定のタイミングで前記外部装置に対して要求信号を出力し、
前記要求信号は、前記表示手段に表示する画像に関する画像関連情報の送信を前記外部装置に対して要求する信号であることを特徴とする充電装置。
【請求項２】
請求項１に記載の充電装置であって、
前記制御手段は、前記外部装置に対して前記充電装置の状態を定期的に送信し、
前記要求信号は、前記充電装置の状態に対応した前記画像関連情報の送信を前記外部装置に対して要求する信号であることを特徴とする充電装置。
【請求項３】
請求項１又は２に記載の充電装置であって、
前記画像関連情報は、前記充電装置の状態に対応した画像データを含み、
前記制御手段は、前記要求信号に対して前記外部装置から返信された画像データを表示するように前記表示手段を制御することを特徴とする充電装置。
【請求項４】
請求項１又は２に記載の充電装置であって、
前記充電装置は、識別子がそれぞれ付された複数の画像データを保存する保存手段をさらに備え、
前記画像関連情報は、前記充電装置の状態に対応した画像データの識別子を含み、
前記制御手段は、前記要求信号に対して前記外部装置から返信された前記識別子に対応する画像データを前記保存手段から読み出し、
前記制御手段は、前記画像データを表示するように前記表示手段を制御することを特徴とする充電装置。
【請求項５】
請求項１〜４の何れかに記載の充電装置であって、
前記制御手段は、
前記充電手段を制御する充電制御手段と、
前記表示手段を制御する表示制御手段と、を含んでおり、
前記充電装置は、前記表示手段と、前記表示制御手段と、前記インタフェース手段と、を有するパネルコンピュータを備えたことを特徴とする充電装置。
【請求項６】
バッテリを充電する充電装置の制御方法であって、
前記充電装置と外部装置との間で前記充電装置のインタフェース手段を介した通信が開始してから、所定のタイミングで前記充電装置の制御手段から前記外部装置に対して要求信号を出力し、
前記要求信号は、前記充電装置の表示手段に表示する画像に関する画像関連情報の送信を前記外部装置に対して要求する信号であることを特徴とする充電装置の制御方法。
【発明の詳細な説明】
【技術分野】
【０００１】
本発明は、バッテリを充電する充電装置及び充電装置の制御方法に関するものである。
【背景技術】
【０００２】
車両のバッテリに充電を行う充電スタンドを、ネットワークを介して管理センタサーバと接続し、車両のバッテリへの充電に対しての課金・決済処理を行う技術が知られている（例えば特許文献１参照）。
【先行技術文献】
【特許文献】
【０００３】
【特許文献１】特開２０１０−１１４９８８号公報
【発明の概要】
【発明が解決しようとする課題】
【０００４】
管理センタサーバを運営する企業等の団体が、充電スタンドの表示装置に独自の画像を表示させたい場合、充電スタンドの処理内容を詳細に把握した上で当該画像を組み込まなければならない、という問題がある。
【０００５】
本発明が解決しようとする課題は、独自の画像を容易に表示することが可能な充電装置、及び、その充電装置の制御方法を提供することである。
【課題を解決するための手段】
【０００６】
本発明は、充電装置と外部装置との間でインタフェース手段を介した通信が開始してから、制御手段から所定のタイミングで要求信号を外部装置に対して出力し、当該要求信号は、表示手段に表示する画像に関する画像関連情報の送信を外部装置に対して要求する信号であることによって上記課題を解決する。
【発明の効果】
【０００７】
本発明によれば、充電装置から外部装置に対して要求信号を出力するので、当該要求信号に対して外部装置から返信された画像関連情報を充電装置が受け入れることで、充電装置の表示手段に独自の画像を容易に表示することが可能となる。
【図面の簡単な説明】
【０００８】
【図１】図１は、本発明の実施形態における充電システムの全体構成を示す図である。
【図２】図２は、本発明の実施形態における充電器及び課金端末を示す斜視図である。
【図３】図３は、本発明の実施形態における充電器及び課金端末の他の例を示す斜視図である。
【図４】図４は、本発明の実施形態における充電システムの制御系を示すブロック図である。
【図５】図５は、本発明の実施形態における充電器の状態遷移図である。
【図６】図６（ａ）〜図６（ｄ）は、図５の各状態におけるタッチパネルの表示画像の一例をそれぞれ示す図である。
【図７】図７（ａ）〜図７（ｄ）は、図５の各状態におけるタッチパネルの表示画像の一例をそれぞれ示す図である。
【図８】図８（ａ）〜図８（ｄ）は、図５の各状態におけるタッチパネルの表示画像の一例をそれぞれ示す図である。
【図９】図９（ａ）〜図９（ｃ）は、図５の各状態におけるタッチパネルの表示画像の一例をそれぞれ示す図である。
【図１０】図１０は、本発明の他の実施形態における充電システムの制御系を示すブロック図である。
【発明を実施するための形態】
【０００９】
以下、本発明の実施形態を図面に基づいて説明する。
【００１０】
図１は本実施形態における充電システムの全体構成を示す図、図２は本実施形態における充電器及び課金端末を示す斜視図、図３は本実施形態における充電器及び課金端末の他の例を示す斜視図、図４は本実施形態における充電器の制御系を示すブロック図である。
【００１１】
本実施形態における充電システム１は、図１に示すように、車両６０の走行用バッテリ６１を充電し、その充電電力量に応じた料金を課金するシステムであり、課金システム１０（上位システム）と、充電器４０と、を備えている。
【００１２】
なお、本実施形態における車両６０は、動力源としてのモータジェネレータ（不図示）と、当該モータジェネレータに対して充放電を行う走行用バッテリ６１と、を有する車両であり、例えば、電気自動車やプラグインタイプのハイブリッドカー等を例示することができる。
【００１３】
課金システム１０は、課金サーバ２０と、課金端末３０と、を備えており、本実施形態では、料金の課金に加えて、サイクリック通信によって充電器４０の状態をモニタリングしたり、後述するＲＥＡＤＹコマンド等の指令を充電器４０に指示したり、充電器４０の充電完了条件やその上限値を設定することが可能となっている。なお、課金システム１０が、充電器４０の充電開始／停止を制御可能であってもよい。
【００１４】
課金サーバ２０は、充電器４０による車両６０のバッテリ６１への充電に対して課金認証処理を行うサーバである。この課金サーバ２０は、ネットワーク等を介して課金端末３０に接続されている。さらに、本実施形態では、充電器４０からの要求信号に応じて、充電器４０の状態に対応した画像データを送信することが可能となっている。
【００１５】
なお、図１では、１台の課金サーバ２０に対して、１台の充電器４０が接続されているが、特にこれに限定されず、１台の課金サーバ２０に対して、複数の充電器４０を接続して、当該課金サーバ２０で複数の充電器４０を統括的に管理してもよい。また、１台の課金端末３０で複数の充電器４０に対応してもよい。
【００１６】
課金端末３０は、例えば充電器４０の近傍に設けられており、ＬＡＮ等を介して、充電器４０に接続されている。この課金端末３０は、図２に示すように、タッチパネル３１と、カードリーダ３２と、を備えている。タッチパネル３１は、課金認証のためのＨＭＩ（Human Machine Interface）である。また、カードリーダ３２は、例えば、ＩＣカードを読み書き可能な非接触式のカードリーダである。
【００１７】
例えば、充電操作を行う充電操作者（例えばドライバ等）は、車両６０のバッテリ６１の充電に際して、タッチパネル３１に表示される案内に従って、当該タッチパネル３１上のボタンにタッチしたり、ＩＣカードをカードリーダに近づけることで、課金認証のための操作を行う。カードリーダ３２が読み取ったＩＣカードのデータは、ネットワーク等を通じて課金サーバ２０に送信される。ＩＣカードの具体例としては、例えば、キャッシュカード、クレジットカード、或いは、電子マネーが予めチャージされたプリペイド型のＩＣカード等を例示することができる。
【００１８】
なお、非接触式のカードリーダ３２に代えて、非接触式のカードリーダを課金端末３０に設けてもよいし、非接触式のカードリーダ３２に加えて、接触式のカードリーダ、コインメック（Ｃ／Ｍ）、ビルバリ（Ｂ／Ｖ）等を課金端末に設けてもよい。
【００１９】
充電器４０は、車両６０に電力を供給することで、車両６０の走行用バッテリ６１を充電する急速充電スタンドである。この充電器４０は、商用交流電力を直流電力に変換し、これを所定の電圧に昇圧する電力変換器４４が内蔵されており、この電力変換器４４で変換された直流電力を、充電ケーブル４１を介して車両６０のバッテリ６１に供給する。
【００２０】
図１に示すように、この充電ケーブル４１の先端には充電コネクタ４２が取り付けられており、当該充電コネクタ４２を、車両６０の給電インレット６２に装着することで、充電ケーブル４１を介して充電器４０と車両６０のバッテリ６１とが電気的に接続される。
【００２１】
図２に示すように、この充電器３０の筐体４３には、充電開始ボタン４３１と、充電停止ボタン４３２と、緊急停止ボタン４３３と、が設けられている。充電操作者が、充電コネクタ４２を給電インレット６２に装着した後に、充電開始ボタン４３１を押すことで、車両６０のバッテリ６１の充電が開始される。一方、バッテリ６１の充電を開始してから当該充電を停止させる場合には、充電操作者は充電停止ボタン４３２を押す。また、例えば充電中に異常が発生して充電を緊急停止させたい場合には、充電操作者は緊急停止ボタン４３３を押す。
【００２２】
また、充電器４０の筐体４３には、３つのランプ４３４〜４３６が設けられている。レディランプ４３４は、充電器４０が充電可能な状態（後述する図５の状態Ｓ１２０）になった場合に点灯する。チャージランプ４３５は、充電開始ボタン４３１が押されてからバッテリ６１が充電されている間（後述する図５の状態Ｓ１３１〜Ｓ１３５）、点灯する。アラームランプ４３６は、例えば、充電器４０自体に故障が発生する等の異常が発生した場合（後述する図５の状態Ｓ３００）に点灯或いは点滅する。
【００２３】
さらに、この充電器４０は、充電コントローラ４５と、パネルコンピュータ５０と、を備えている。
【００２４】
充電コントローラ４５は、例えば、ＣＰＵ、ＲＯＭ、ＲＡＭ等を備えたコンピュータから構成され、上述の電力変換器４４を制御することが可能となっている。この充電コントローラ４５は、ＲＯＭに記憶された充電制御プログラムを実行することで、車両６０のバッテリ６１の充電を制御する。
【００２５】
パネルコンピュータ５０は、図４に示すように、タッチパネル５１と、表示コントローラ５２と、を備えている。タッチパネル５１は、充電器４０と充電操作者やシステム管理者との間のＨＭＩであり、例えば、充電操作者が充電作業の進捗状況を確認したり、システム管理者が充電器４０のメンテナンス等を行う際に使用される。
【００２６】
なお、図３に示すように、充電器４０の筐体４３にカードリーダ３２を設けると共に、充電器４０のタッチパネル５１が課金端末３０のタッチパネル３１を兼ねることで、充電器４０に課金端末３０の機能を組み込んでもよい。
【００２７】
表示コントローラ５２は、上述の充電コントローラ４５と同様に、例えば、ＣＰＵ、ＲＯＭ、ＲＡＭ等を備えたコンピュータから構成されており、タッチパネル５１の表示制御を行うことが可能となっている。また、この表示コントローラ５２は、図４に示すように、課金システム１０と通信を行うための通信インタフェース５２１の機能も有している。
【００２８】
本実施形態では、充電コントローラ４５が表示コントローラ５２に接続されており、この充電コントローラ４５は、表示コントローラ５２の通信インタフェース５２１を介して、課金システム１０と通信を行うことが可能となっている。また、本実施形態では、充電コントローラ４５の状態が表示コントローラ５２によって検出されており、充電コントローラ４５と表示コントローラ５２を含めた充電器４０全体の状態が、後述するサイクリック通信を通じて、当該表示コントローラ５２によって課金システム１０に対して公開されるようになっている。
【００２９】
なお、本実施形態では、上述のように、充電コントローラ４５とパネルコンピュータ５０の表示コントローラ５２を独立して設けているが、特にこれに限定されず、充電コントローラ４５と表示コントローラ５２を一つのコントローラに統合してもよい。
【００３０】
以下に、図５〜図９（ｃ）を参照しながら、充電器４０における充電制御の流れについて説明する。図５は本実施形態における充電器の状態遷移図、図６（ａ）〜図９（ｃ）は図５の各状態におけるタッチパネル５１の表示画像の一例をそれぞれ示す図である。
【００３１】
先ず、充電器４０の電源が投入されると、図５の状態Ｓ１００において、充電コントローラ４５が充電器４０の初期化を行うと共に、図６（ａ）に示すように、表示コントローラ５２がタッチパネル５１の画面５１１上に「起動中」の画像を表示させる。因みに、図６（ａ）〜図９（ｃ）において図６（ｂ）、図６（ｃ）、図８（ｃ）、図９（ｃ）以外の画像は、充電器４０の記憶部（不図示）に予め記憶されている。
【００３２】
この状態Ｓ１００において、充電コントローラ４５は、課金サーバ２０からのサイクリック信号が通信インタフェース５２１を介して入力されるのを所定時間待つ。このサイクリック信号は、例えば１００［ｍｓｅｃ］毎に発信されるのに対し、充電コントローラ４５が待機する前記所定時間は、例えば８［ｓｅｃ］である。なお、この状態Ｓ１００における所定時間は、上記の値に特に限定されず、任意に設定することができる。
【００３３】
この状態Ｓ１００において、充電コントローラ４５は、所定時間内に課金サーバ２０からのサイクリック信号を受信した場合に、図５に示す「スレーブモード」を選択する。この「スレーブモード」は、充電器４０が課金サーバ２０と通信しながら動作するモードである。
【００３４】
一方、図５の状態Ｓ１００において、所定時間内に、通信インタフェース５２１を介して課金サーバ２０からサイクリック信号が充電コントローラ４５に入力されない限り、充電コントローラ４５は充電可能な状態に移行しない。
【００３５】
課金サーバ２０と充電器４０との間でサイクリック通信が確立されると、課金サーバ２０はこのサイクリック通信によって充電器４０の状態を読み取ることができ、充電コントローラ４５によって「スレーブモード」が実行されている間、このサイクリック通信は維持される。具体的には、このサイクリック通信では、課金サーバ２０からサイクリック信号が周期的に発せられ、当該サイクリック信号に対して、表示コントローラ５２が充電器４０の状態を示すステータス信号を返信することで、課金サーバ２０が充電器４０の状態をモニタリングしている。
【００３６】
このように、本実施形態では、課金サーバ２０からサイクリック信号が入力されてから「スレーブモード」を実行する。これにより、課金システム１０に対して充電器４０がスレーブ側となるので、課金システムに対応したプロトコルを充電器４０に実装する必要がなくなり、課金サーバ等の外部装置に対する充電器４０の汎用性が向上する。
【００３７】
なお、図５の状態Ｓ１００において、所定時間内にサイクリック信号が入力されなかった場合に、充電コントローラ４５が「単独モード」（不図示）を選択してもよい。この「単独モード」は、課金サーバ２０と通信せずに充電器４０が単独で動作するモードであり、図５の状態Ｓ１１０と状態Ｓ４００を備えていない点を除いて、「スレーブモード」と同一である。こうした「単独モード」を設けることで、課金システム１０が故障した場合であっても、充電器４０によって車両６０のバッテリ６１を充電することができる。なお、この「単独モード」では、後述する図６（ｂ）、図６（ｃ）及び図８（ｃ）に相当する画像データは、充電器４０の記憶部（不図示）に予め記録されている。
【００３８】
充電コントローラ４５は、「スレーブモード」を選択したら図５の状態Ｓ１１０に移行して、通信インタフェース５２１を介して、課金サーバ２０に対して要求信号を出力すると共に、課金サーバ２０からのＲＥＡＤＹコマンドの入力を待つ。この要求信号は、充電器４０の状態に対応した画像データの返信を要求する信号である。
【００３９】
課金サーバ２０は、充電器４０からこの要求信号を受信したら、サイクリック通信に基づいて充電器４０の状態を読み取り、当該充電器４０の状態（具体的には図５の状態Ｓ１１０）に対応した画像データを充電器４０に返信する。そして、表示コントローラ５２は、課金サーバ２０から受信した当該画像データを表示するようにタッチパネル５１を制御する。こうした制御によって、タッチパネル５１の画面５１１上に、図６（ｂ）に示すような画像が表示される。同図に示す画像は、課金サーバ２０を運用する団体が独自に作成したものである。
【００４０】
なお、課金サーバ２０が、図６（ｂ）の画像に加えて、図６（ｃ）に示すような案内画像も充電器４０に送信し、表示コントローラ５２が、所定時間毎に当該２つの画像を切り替えて表示するように、タッチパネル５１を制御してもよい。この図６（ｃ）に示す画像も課金サーバ２０を運用する団体が独自に作成したものである。
【００４１】
また、本実施形態では、画像データを課金サーバ２０から充電器４０に提供しているが、特にこれに限定されない。例えば、図１０に示すように、充電器４０が画像記憶部５３を有し、この画像記憶部５３に、識別子がそれぞれ付された画像データを記憶しておいてもよい。図１０は本発明の他の実施形態における充電システムの制御系を示すブロック図である。
【００４２】
この図１０に示す例の場合には、充電器４０からの要求信号を受信した課金サーバ２０は、サイクリック通信に基づいて充電器４０の状態を読み取り、当該充電器４０の状態に対応した画像データの識別子を充電器４０に返信する。そして、表示コントローラ５２は、課金サーバ２０から受信した当該識別子に対応した画像データを画像記憶部５３から読み出して、その画像データを表示するようにタッチパネル５１を制御する。
【００４３】
このように、識別子が付与された画像データを充電器４０に記憶しておくことで、充電器４０と課金サーバ２０との間の通信量の低減を図ることができる。
【００４４】
図５に戻り、同図の状態Ｓ１１０では、課金サーバ２０側に制御権があるため、充電コントローラ４５は、課金サーバ２０からＲＥＡＤＹコマンドを受け取るまで、走行用バッテリの充電制御を開始することができない。この状態Ｓ１１０では、例えば、管理者が、タッチパネル５１を介して、充電器４０の管理やメンテナンスを行うことが可能となっている。
【００４５】
例えば、管理者が、図６（ｂ）に示すタッチパネル５１の画面５１１上の「管理」ボタンや「メンテナンス」ボタンをタッチすると、図５の状態Ｓ２００に移行して、充電完了条件（充電作業が完了する充電時間や充電率（ＳＯＣ：State of Charge）等）を選択したり、充電完了条件の充電時間を変更したり（図６（ｄ）参照）、或いは、充電完了条件の充電率を変更する（図７（ａ）参照）ことが可能となっている。なお、図６（ｄ）や図７（ａ）において「ＯＫ」ボタンをタッチすると、図６（ｂ）の画面に戻る。また、特に図示しないが、１台の課金サーバ２０や１台の課金端末３０で複数の充電器４０に対応する場合には、この状態Ｓ２００において、それぞれの充電器４０の局番を設定してもよい。
【００４６】
本実施形態では、充電コントローラ４５が充電制御を開始することができない状態Ｓ１１０を設けることで、「スレーブモード」において、ＩＣカードの認証が完了していなかったり、充電完了条件等を設定しているにも関わらず、勝手に充電器４０の充電開始ボタン４３１が押されて充電処理が開始されてしまうのを防止することが可能となっている。
【００４７】
図５の状態Ｓ１１０において、通信インタフェース５２１を介して課金サーバ２０から充電コントローラ４５にＲＥＡＤＹコマンドが入力されたら、充電コントローラ４５は、図５の状態Ｓ１２０に移行する。このＲＥＡＤＹコマンドは、例えば、充電操作者が、課金端末３０のカードリーダ３２にＩＣカードをタッチさせた後に、図６（ｂ）に示すタッチパネル５１の枠内をタッチすることで、課金サーバ２０から充電器４０に出力される。充電コントローラ４５がこのＲＥＡＤＹコマンドを課金サーバ２０から受信することで、制御権が課金サーバ２０から充電コントローラ４５に移る。
【００４８】
この図５の状態Ｓ１２０では、制御権が充電コントローラ４５にあるため、充電操作者が充電開始ボタン４３１を押せば、充電器４０がバッテリの充電をいつでも開始可能な状態となっている。この図５の状態Ｓ１２０において、表示コントローラ５２は、図７（ｂ）に示すような画像をタッチパネル５１の画面５１１上に表示させる。
【００４９】
そして、充電操作者が充電器４０の充電開始ボタン４３１を押すと、図５の状態Ｓ１３１〜Ｓ１３５における充電制御が実行される。
【００５０】
具体的には、先ず、図５の状態Ｓ１３１において、充電コントローラ４５は、車両６０との通信を行うことで、走行用バッテリ６０の現状の充電率や故障の有無等の情報を取得する。この状態Ｓ１３１において、表示コントローラ５２は、図７（ｃ）に示すような画像をタッチパネル５１の画面５１１上に表示させる。
【００５１】
次いで、図５の状態Ｓ１３２において、充電コントローラ４５は、例えば５００［Ｖ］程度の電圧を印加して絶縁試験を行い、さらに、図５の状態Ｓ１３３において、充電器４０自身の故障状態を確認する。この状態Ｓ１３２及び状態Ｓ１３３において、表示コントローラ５２は、図７（ｄ）及び図８（ａ）に示すような画像をタッチパネル５１の画面５１１上に表示させる。
【００５２】
そして、充電開始条件が成立したら、充電コントローラ４５は、図５の状態Ｓ１３４において、実際に充電器４０から直流電力を車両６０に供給して走行用バッテリを充電する。この状態Ｓ１３４において、表示コントローラ５２は、図８（ｂ）に示すような画像をタッチパネル５１の画面５１１上に表示させる。
【００５３】
なお、図５の状態Ｓ１３４において、図８（ｂ）の画像中の「停止ガイダンス」ボタンを充電操作者が押すと、充電コントローラ４５が通信インタフェース５２１を介して課金サーバ２０に対して要求信号を出力する。課金サーバ２０は、この要求信号に対して、充電器４０の状態Ｓ１３４に対応した画像データを返信する。そして、表示コントローラ５２は、図８（ｂ）に示す画像に代えて、図８（ｃ）に示す画像を所定時間だけ表示する。同図に示す画像は、バッテリ６１の充電を停止させる方法を案内する画像であり、課金サーバ２０を運用する団体が独自に作成したものである。因みに、本実施形態では、充電停止のために認証を要求することで、充電操作者の意図しない充電停止を防止している。
【００５４】
図５の状態Ｓ１３４で車両６０のバッテリの充電を行って充電完了条件が成立したら、充電コントローラ４５は、図５の状態Ｓ１３５に移行して充電を停止させる。この状態Ｓ１３５において、表示コントローラ５２は、図８（ｄ）に示す画像をタッチパネル５１の画面５１１上に表示させる。
【００５５】
なお、図５の状態Ｓ１３１〜Ｓ１３４において、例えば充電操作者が充電停止ボタン４３２を押す等して充電停止イベントが発生した場合にも、この図５の状態Ｓ１３５に移行する。
【００５６】
そして、図５の状態Ｓ１３５において充電の停止作業が完了したら、充電コントローラ４５は、通信インタフェース５２１を介して、充電電力量等の充電結果を課金システム１０に送信し、充電器４０の状態は再び図５の状態Ｓ１１０に移行する。
【００５７】
課金端末３０は、充電コントローラ４５から送信された充電結果を課金サーバ２０に送信し、課金サーバ２０は、この充電結果に基づいて料金を算出して決済処理をする。
【００５８】
本実施形態では、課金システム１０が充電器４０から充電結果を受け取ると、制御権が充電器４０から課金システム１０に移り、再び充電コントローラ４５は充電制御を開始できない状態となる。図５における状態Ｓ１３５から状態Ｓ１１０に移行した直後のタッチパネル５１の表示画面の一例を図９（ａ）に示す。そして、充電終了後から一定時間が経過したら、充電コントローラ４５が課金サーバ２０に対して要求信号を出力し、課金サーバ２０から画像データが返信され、表示コントローラ５２が、タッチパネル５１の表示を図９（ａ）から図６（ｂ）に切り替える。
【００５９】
なお、図５のいずれかの状態Ｓ１００〜Ｓ１２０，Ｓ１３１〜Ｓ１３５において、充電器４０に異常が発生した場合には、図５の状態Ｓ３００に移行して、充電操作者に異常発生を喚起する。この状態Ｓ３００において、表示コントローラ５２は、図９（ｂ）に示すような画像をタッチパネル５１の画面５１１上に表示させる。
【００６０】
また、本実施形態では、図５の状態Ｓ１１０において、充電コントローラ４５が課金サーバ２０から「サービス停止指令」を受信した場合には、図５の状態Ｓ４００に移行して、充電コントローラ４５が課金サーバ２０に対して要求信号を出力する。課金サーバ２０は、この要求信号に対して、充電器４０の状態Ｓ４００に対応した画像データを返信し、表示コントローラ５２は、課金サーバ２０から受信した図９（ｃ）に示す画像をタッチパネル５１に表示させる。同図に示す画像は、課金サーバ２０を運用する団体が独自に作成したものである。
【００６１】
以上のように、本実施形態では、充電器４０と課金サーバ２０との間で通信インタフェース５２１を介した通信が開始してから、所定のタイミングで課金サーバ２０に対して要求信号を出力する。この要求信号に対して、課金サーバ２０が、充電器４０の状態に対応した画像データを充電器４０に返信し、表示コントローラ５２が当該画像データをタッチパネル５１に表示させる。これにより、課金サーバ２０を運営する団体は、充電器４０の処理内容を詳細に把握しなくても、独自の画像（具体的には、上述の図６（ｂ）、図６（ｃ）、図８（ｃ）、図９（ｃ））を充電器４０のタッチパネル５１に容易に表示することができる。
【００６２】
本実施形態における充電器４０が本発明における充電装置の一例に相当し、本実施形態における課金システム１０が本発明における外部装置の一例に相当する。また、本実施形態における電力変換器４４が本発明における充電手段の一例に相当し、本実施形態における充電コントローラ４５が本発明における充電制御手段の一例に相当し、本実施形態におけるタッチパネル５１が本発明における表示手段の一例に相当し、本実施形態における表示コントローラ５２が本発明における表示制御手段の一例に相当する。また、本実施形態における通信インタフェース５２１が本発明におけるインタフェース手段の一例に相当し、本実施形態における画像記憶部５３が本発明における保存手段の一例に相当する。
【００６３】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００６４】
１…充電システム
１０…課金システム
２０…課金サーバ
３０…課金端末
４０…充電器
４１…充電ケーブル
４２…充電コネクタ
４３…筐体
４４…電力変換器
４５…充電コントローラ
５０…パネルコンピュータ
５１…タッチパネル
５２…表示コントローラ
５２１…通信インタフェース
５３…画像記憶部
６０…車両
６１…走行用バッテリ
６２…給電インレット
【図１】
2015023618.tif 000003
【図２】
2015023618.tif 000004
【図３】
2015023618.tif 000005
【図４】
2015023618.tif 000006
【図５】
2015023618.tif 000007
【図６】
2015023618.tif 000008
【図７】
2015023618.tif 000009
【図８】
2015023618.tif 000010
【図９】
2015023618.tif 000011
【図１０】
2015023618.tif 000012